(57)【要約】  【課題】  従来、放送番組の進行に同期してコンテンツの提供を行う技術には、通常番組は多チャンネルで同時に複数放送されているにも関わらず、上記チャンネルや番組を特定し、携帯端末装置と放送番組受信出力装置とでチャンネルを同期させるための機能を備えていない、という課題がある。  【解決手段】  以上課題解決のため、本発明は、放送チャンネル識別情報を利用して、携帯端末装置を例えばリモコンとして使用可能とする機能や、あるいは放送番組受信出力装置で受信中の放送チャンネルに携帯端末装置側のコンテンツ出力を合わせる機能などを備えた、放送番組受信出力装置と、放送番組に同期してコンテンツの提供をするための携帯端末装置と、からなるテレビ番組同期連携システムを提供する。【選択図】  図２
2007036523.tif 000002
【特許請求の範囲】
【請求項１】
放送番組受信出力装置と、放送番組に同期してコンテンツの提供をするための携帯端末装置と、からなるテレビ番組同期連携システムであって、
携帯端末装置は、
時刻情報を出力する時計部と、
コンテンツを識別するコンテンツ識別情報と、放送番組中でのタイミングを示すタイミング情報と、放送チャンネル識別情報と、を関連付けた情報である進行スケジュール情報を取得する進行スケジュール情報取得部と、
前記進行スケジュール情報取得部にて取得した進行スケジュール情報中のタイミング情報と、前記時計部から出力される時刻情報と、に基づいてコンテンツ識別情報を出力するコンテンツ識別情報出力部と、を有し、
放送番組受信出力装置は、
放送番組を受信する受信部と、
前記受信部にて受信する放送番組の放送チャンネルを選択制御する選択制御部と、
前記選択制御され受信部にて受信した放送番組を出力する出力部と、を有する
テレビ番組同期連携システム。
【請求項２】
携帯端末装置は、
放送チャンネル識別情報を選択する選択入力部と、
前記選択入力部に入力された放送チャンネル識別情報に基づいて放送番組受信出力装置の選択制御部に放送チャンネルを選択制御させるための命令である選択制御命令を出力する選択制御命令出力部と、をさらに有するとともに
前記進行スケジュール情報取得部は、前記選択入力部にて選択された放送チャンネル識別情報に基づいて進行スケジュールを取得する選択依存進行スケジュール情報取得手段をさらに有し、
放送番組受信出力装置は、
前記携帯端末装置の選択制御命令出力部から出力される選択制御命令を受信する選択制御命令受信部と、をさらに有する
請求項１に記載のテレビ番組同期連携システム。
【請求項３】
携帯端末装置は、
前記進行スケジュール情報取得部にて取得した進行スケジュール情報に含まれる放送チャンネル識別情報にて示される放送チャンネルを、放送番組受信出力装置の選択制御部に選択制御させるための命令である進行スケジュール依存選択制御命令を出力する進行スケジュール依存選択制御命令出力部を有し、
放送番組受信出力装置は、
携帯端末装置の進行スケジュール依存選択制御命令出力部から出力される進行スケジュール依存選択制御命令を受信する進行スケジュール依存選択制御命令受信部を有する
請求項１に記載のテレビ番組同期連携システム。
【請求項４】
放送番組受信出力装置は、
選択制御部が選択している放送チャンネルを識別する放送チャンネル識別情報を携帯端末装置に対して出力する放送チャンネル識別情報出力部を有し、
携帯端末装置は、
前記放送番組受信出力装置から出力される放送チャンネル識別情報を取得する放送チャンネル識別情報取得部を有するとともに、
前記進行スケジュール情報取得部は、放送チャンネル識別情報取得部にて取得した放送チャンネル識別情報と関連付けられた進行スケジュール情報を取得する選択放送チャンネル識別情報依存進行スケジュール情報取得手段、を有する請求項１に記載のテレビ番組同期連携システム。
【請求項５】
放送番組受信出力装置と、放送番組に同期してコンテンツの提供をするための携帯端末装置と、からなるテレビ番組同期連携システムであって、
携帯端末装置は、
時刻情報を出力する時計部と、
コンテンツを識別するコンテンツ識別情報と、放送番組中でのタイミングを示すタイミング情報と、を関連付けた情報である進行スケジュール情報を取得する進行スケジュール情報取得部と、
前記進行スケジュール情報取得部にて取得した進行スケジュール情報中のタイミング情報と、前記時計部から出力される時刻情報と、に基づいてコンテンツ識別情報を出力するコンテンツ識別情報出力部と、を有し、
放送番組受信出力装置は、
放送番組を受信する受信部と、
前記受信部にて受信する放送番組の放送チャンネルを選択制御する選択制御部と、
前記選択制御され受信部にて受信した放送番組を出力する出力部と、を有する
テレビ番組同期連携システム。
【請求項６】
携帯端末装置にて、放送番組受信出力装置で出力する放送番組に同期してコンテンツの提供をするためのテレビ番組同期連携方法であって、
携帯端末装置にて時刻情報を出力する時刻出力ステップと、
コンテンツを識別するコンテンツ識別情報と、放送番組中でのタイミングを示すタイミング情報と、放送チャンネル識別情報と、を関連付けた情報である進行スケジュール情報を取得する進行スケジュール情報取得ステップと、
前記進行スケジュール情報取得ステップにて取得した進行スケジュール情報中のタイミング情報と、前記時計部から出力される時刻情報と、に基づいてコンテンツ識別情報を出力するコンテンツ識別情報出力ステップと、
放送番組受信出力装置にて放送番組を受信する受信ステップと、
前記受信ステップにて受信する放送番組の放送チャンネルを選択制御する選択制御ステップと、
前記選択制御ステップにて選択制御され受信ステップにて受信した放送番組を出力する出力ステップと、
を有するテレビ番組同期連携方法。
【請求項７】
携帯端末装置にて、放送チャンネル識別情報を選択する選択入力ステップと、
前記選択入力ステップに入力された放送チャンネル識別情報に基づいて、放送番組受信出力装置の選択制御ステップにて放送チャンネルを選択制御させるための命令である選択制御命令を出力する選択制御命令出力ステップと、
放送番組受信出力装置にて、前記選択制御命令出力ステップから出力される選択制御命令を受信する選択制御命令受信ステップと、をさらに有するとともに、
前記進行スケジュール情報取得ステップは、前記選択入力ステップにて選択された放送チャンネル識別情報に基づいて進行スケジュールを取得する選択依存進行スケジュール情報取得ステップである、
請求項６に記載のテレビ番組同期連携方法。
【請求項８】
携帯端末装置にて、前記進行スケジュール情報取得ステップにて取得した進行スケジュール情報に含まれる放送チャンネル識別情報にて示される放送チャンネルを、放送番組受信出力装置の選択制御ステップにて選択制御させるための命令である進行スケジュール情報依存選択制御命令を出力する進行スケジュール依存選択制御命令出力ステップと、
放送番組受信出力装置にて、前記進行スケジュール依存選択制御命令出力ステップから出力される進行スケジュール依存選択制御命令を受信する進行スケジュール依存選択制御命令受信ステップを有する
請求項６に記載のテレビ番組同期連携方法。
【請求項９】
放送番組受信出力装置にて、選択制御ステップが選択する放送チャンネルを識別する放送チャンネル識別情報を携帯端末装置に対して出力する放送チャンネル識別情報出力ステップと、
携帯端末装置にて、前記出力される放送チャンネル識別情報を取得する放送チャンネル識別情報取得ステップと、を有するとともに、
前記進行スケジュール情報取得ステップは、放送チャンネル識別情報取得ステップにて取得した放送チャンネル識別情報と関連付けられた進行スケジュール情報を取得する選択放送チャンネル識別情報依存進行スケジュール情報取得ステップである、
請求項６に記載のテレビ番組同期連携方法。
【請求項１０】
携帯端末装置にて、放送番組受信出力装置で出力する放送番組に同期してコンテンツの提供をするためのテレビ番組同期連携方法であって、
携帯端末装置にて時刻情報を出力する時刻出力ステップと、
コンテンツを識別するコンテンツ識別情報と、放送番組中でのタイミングを示すタイミング情報と、を関連付けた情報である進行スケジュール情報を取得する進行スケジュール情報取得ステップと、
前記進行スケジュール情報取得ステップにて取得した進行スケジュール情報中のタイミング情報と、前記時計部から出力される時刻情報と、に基づいてコンテンツ識別情報を出力するコンテンツ識別情報出力ステップと、
放送番組受信出力装置にて放送番組を受信する受信ステップと、
前記受信ステップにて受信する放送番組の放送チャンネルを選択制御する選択制御ステップと、
前記選択制御ステップにて選択制御され受信ステップにて受信した放送番組を出力する出力ステップと、
を有するテレビ番組同期連携方法。
【発明の詳細な説明】
【技術分野】
【０００１】
本発明は、テレビなどで視聴される放送番組に同期して、その放送番組に関連するコンテンツを携帯端末装置にて提供する技術に関する。
【背景技術】
【０００２】
従来、放送番組に関連するコンテンツを、その放送番組のシーン内容などの進行に同期させて提供するための方法として、例えばデジタル放送のデータ放送を利用する方法が挙げられる。デジタル放送では、放送波にデータ放送用データを含めて放送することで各種データを番組進行などに同期して提供することが可能である。そこで、例えば野球中継では、現在対峙している打者と投手との今シーズン対戦成績などをテレビのデータ放送表示領域に表示する、という具合にリアルタイムにコンテンツを提供することができる。また、データ放送としてクイズ番組のクイズデータを提供し、放送中のクイズ番組の進行に応じて視聴者が通信機能で回答する、という具合のサービスを楽しむこともできる。
【０００３】
しかし地上放送波においてアナログ放送からデジタル放送への移行は、２００５年現在、インフラの整備や対応家庭用機器普及の関係から進んでいないのが現状である。したがって、このような放送番組に同期させたコンテンツの提供サービスを享受できるユーザーの数は現在のところ限られている。
【０００４】
そこでアナログ放送においても、放送番組の進行などに同期してコンテンツを提供するための技術が特許文献１に開示されている。この特許文献１は、通信販売番組の例えば商品紹介のタイミングに同期させて、視聴者ネットワーク端末に、現在紹介している商品の情報や購入用ＷｅｂページのＵＲＬなどを表示する、という具合の、通信販売番組に同期したコンテンツの提供技術である。
【特許文献１】特開２００５−０５１６２７号公報
【発明の開示】
【発明が解決しようとする課題】
【０００５】
しかし、特許文献１の技術は、通信販売番組におけるコンテンツ提供であるため、テレビで視聴される番組は当然通信販売番組であることが前提である。そのため通常多チャンネルで同時に複数番組が放送され視聴可能である場合でも、あえて現在視聴しているチャンネルや番組を特定する必要がない。
【０００６】
つまり上記特許文献１の技術には多チャンネルで同時に複数視聴可能な放送番組に関して、その放送番組に同期してコンテンツの提供を行う場合に以下のような課題がある。すなわち、上記チャンネルや番組の特定を行い、視聴者ネットワーク端末で表示するコンテンツと、複数の放送番組のうちテレビで視聴する番組と、を同期させるための機能を備えていない、という課題である。
【課題を解決するための手段】
【０００７】
以上の課題を解決するために、本発明は、放送番組受信出力装置と、放送番組に同期してコンテンツの提供をするための携帯端末装置と、からなるテレビ番組同期連携システムを提供する。
【０００８】
そして、本発明のテレビ番組同期連携システムでは、放送チャンネル識別情報を利用して、放送番組受信出力装置と携帯端末装置とのチャンネルなど同期を行う機能を備えていることを特徴としている。
【０００９】
具体的には、携帯端末装置は、時刻情報を出力する時計部と、コンテンツ識別情報とタイミング情報と、放送チャンネル識別情報と、を関連付けた情報である進行スケジュール情報を取得する進行スケジュール情報取得部と、前記取得した進行スケジュール情報中のタイミング情報と、前記時計部から出力される時刻情報と、に基づいてコンテンツ識別情報を出力するコンテンツ識別情報出力部と、を有し、放送番組受信出力装置は、放送番組を受信する受信部と、前記受信部にて受信する放送番組の放送チャンネルを選択制御する選択制御部と、前記選択制御され受信部にて受信した放送番組を出力する出力部と、を有するテレビ番組同期連携システムである。
【００１０】
そして、携帯端末装置と放送番組受信出力装置とのチャンネルの同期をとるために、携帯端末装置を例えばリモコンとして使用可能とする機能を備えた上記テレビ番組同期連携システムも提供する。具体的には、携帯端末装置が、放送チャンネル識別情報を選択する選択入力部と、前記入力された放送チャンネル識別情報に基づいて放送番組受信出力装置に対して選択制御命令を出力する選択制御命令出力部と、をさらに有するとともに前記進行スケジュール情報取得部は、前記選択された放送チャンネル識別情報に基づいて進行スケジュールを取得する、一方、放送番組受信出力装置が、前記選択制御命令を受信する選択制御命令受信部と、をさらに有するテレビ番組同期連携システムである。
【００１１】
また、チャンネル同期のための別の機能として、携帯端末装置において出力を希望するコンテンツを選択した際に、放送番組受信出力装置のチャンネルを強制的にそのコンテンツに関する放送番組のチャンネルに合わせる機能を備えた上記テレビ番組同期連携システムも提供する。具体的には、携帯端末装置が、取得した進行スケジュール情報に含まれる放送チャンネルに基づく進行スケジュール依存選択制御命令を放送番組受信出力装置に対して出力する進行スケジュール依存選択制御命令出力部を有し、一方、放送番組受信出力装置が、前記進行スケジュール依存選択制御命令を受信する進行スケジュール依存選択制御命令受信部を有するテレビ番組同期連携システムである。
【００１２】
また、チャンネル同期のためのさらに別の機能として、放送番組受信出力装置で受信中の放送チャンネルに、携帯端末装置側のコンテンツ出力を合わせる機能を備えたテレビ番組同期連携システムを提供する。具体的には、放送番組受信出力装置が、選択制御部が選択している放送チャンネルの放送チャンネル識別情報を携帯端末装置に対して出力する放送チャンネル識別情報出力部を有し、一方、携帯端末装置が、前記出力される放送チャンネル識別情報を取得する放送チャンネル識別情報取得部を有するとともに、前記取得した放送チャンネル識別情報と関連付けられた進行スケジュール情報を取得する選択放送チャンネル識別情報依存進行スケジュール情報取得手段、を有するテレビ番組同期連携システムである。
【発明の効果】
【００１３】
以上のような構成をとる本発明によって、放送番組の進行などに同期したコンテンツの提供を、携帯端末装置で表示するコンテンツと、テレビで視聴する番組のチャンネルと、を自動的に同期させた上で行うことができる。
【００１４】
なお本発明は、アナログ放送のみならず、データ放送によって放送番組と同期させてコンテンツを提供可能なデジタル放送でも利用可能である。デジタル放送での放送番組と同期させて携帯端末装置にコンテンツを提供すれば、視聴者にさらに深く詳細な、あるいは全く別なコンテンツを提供することができる。
【００１５】
また、放送番組はテレビジョン放送での放送番組には限定されず、ラジオ放送での放送番組であってもかまわない。本発明によって、音声のみのラジオ放送の放送番組に同期させて視覚的コンテンツを提供することもできる。
【発明を実施するための最良の形態】
【００１６】
以下に、図を用いて本発明の実施の形態を説明する。なお、本発明はこれら実施の形態に何ら限定されるものではなく、その要旨を逸脱しない範囲において、種々なる態様で実施しうる。
【００１７】
なお、実施例１は、主に請求項１，５，６，１０について説明する。
【００１８】
また、実施例２は、主に請求項２，７について説明する。
【００１９】
また、実施例３は、主に請求項３，８について説明する。
【００２０】
また、実施例４は、主に請求項４，９について説明する。
【００２１】
≪実施例１≫
【００２２】
<概要>
【００２３】
本実施例は、放送番組受信出力装置と、放送番組に同期してコンテンツの提供をするための携帯端末装置と、からなるテレビ番組同期連携システムである。
【００２４】
図１に示すのは本実施例におけるテレビ番組同期連携システムの概要の一例を説明するための図である。この図にあるように、本実施例のテレビ番組同期連携システムは、放送番組受信出力装置である例えば「テレビジョン装置」（０１１０）と、携帯端末装置である例えば「携帯電話」（０１００）からなっている。ここでユーザーαは、テレビジョン装置で裁判ドラマを見ている。そしてそのドラマで、現在検察の証拠提出シーンが放映されると、そのシーンに同期して、携帯電話では、その証拠提出によってもたらされた裁判官の心証の変化についての映像が表示される、という具合である。
【００２５】
このように、本実施例のテレビ番組同期連携システムを利用して放送番組受信出力装置と携帯端末装置で同期してコンテンツを表示することができる。したがって、上記概要のように、例えばドラマにおいて放送番組上では表現されない登場人物の心理状態などを放送シーンと同期させコンテンツとして表示する、といった具合に新しいドラマの形態を提供することも可能になる。なお、本実施例を利用した放送番組のその他の提供形態については本実施例の最後に具体例を挙げて記載する。
【００２６】
<構成>
【００２７】
図２に示すのは、本実施例のテレビ番組同期連携システムにおける機能ブロックの一例を表す図である。この図にあるように、本実施例のテレビ番組同期連携システムは、「放送番組受信出力装置」（０２１０）と、「携帯端末装置」（０２００）と、からなる。
【００２８】
《携帯端末装置》
【００２９】
「携帯端末装置」（０２００）は、放送番組受信出力装置で出力される放送番組に同期してコンテンツの提供をするための装置をいい、例えば、携帯電話、ＰＨＳ（パーソナル・ハンディフォン・システム）、ＰＤＡ（パーソナル・デジタル・アシスタンツ）、ノートパソコンなどが挙げられる。そして、この携帯端末装置は、「時計部」（０２０１）と、「進行スケジュール情報取得部」（０２０２）と、「コンテンツ識別情報出力部」（０２０３）と、を有する。
【００３０】
なお、以下に記載する本システムの機能ブロックは、ハードウェア、ソフトウェア、又はハードウェア及びソフトウェアの両方として実現され得る。具体的には、コンピュータを利用するものであれば、ＣＰＵや主メモリ、バス、あるいはハードディスクや不揮発性メモリなどの記憶装置、ＣＤ−ＲＯＭやＤＶＤ−ＲＯＭなどの記憶メディア、それらメディアの読取ドライブ、各種通信や印刷機器用の送受信ポート、その他の周辺装置などのハードウェア構成部や、それらハードウェアを制御するためのドライバプログラムやその他アプリケーションプログラム、情報入力に利用される入力デバイス、インターフェースなどが挙げられる。
【００３１】
これらハードウェアやソフトウェアは、メモリ上に展開したプログラムをＣＰＵで順次演算処理したり、メモリやハードディスク上に保持されているデータや、インターフェースを介して入力されたデータなどを加工、蓄積、出力処理したり、あるいは各ハードウェア構成部の制御を行ったりするために利用される。
【００３２】
また、この発明はシステムとして実現できるのみでなく、方法としても実現可能である。また、このような発明の一部をソフトウェアとして構成することができることもできる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００３３】
（携帯端末装置の構成要件１：時計部）
【００３４】
「時計部」（０２０１）は、時刻情報を出力する機能を有する。「時刻情報」とは、年、月、日、時、分、秒などの単位で表される時刻を示す情報をいい、基本的には現在の時刻を示す情報であるが、場合によっては過去、未来の時刻を示す情報であっても良い。あるいは、時刻情報は放送番組を参照するための情報であるので、例えば放送開始時刻など所定の起点となる時刻からの経過時間が含まれる意味であっても良い。
【００３５】
なお、この時刻情報の取得は、例えば携帯端末装置の内蔵時計から取得する方法が挙げられる。また、その他に、ネットワーク上にある時刻サーバから正確な時刻を取得する構成としても良いし、また、携帯端末装置の内蔵時計を利用する場合でも、定期的に時刻サーバにアクセスし正確な時刻に同期させておくことが望ましい。なぜならば、本発明のテレビ番組同期連携システムにおいて、携帯端末装置はこの時刻情報をもって後述するように放送番組との同期を図る。そのため、時刻情報で示される時刻が大幅にずれていると、時間に合わせてほぼ正確に放送されている放送番組と同期ができなくなる可能性が高くなるからである。
【００３６】
また、ネットワーク上にある外部の時刻サーバと時刻の同期をとることで、例えば携帯端末装置側の時計機能が不正に操作などされ、後述する放送番組の進行に応じたコンテンツ提供のタイミングが狂ってしまうなどの事態の発生を防ぐこともできる。
【００３７】
（携帯端末装置の構成要件２：進行スケジュール情報取得部）
【００３８】
「進行スケジュール情報取得部」（０２０２）は、進行スケジュール情報を取得する機能を有する。「進行スケジュール情報」とは、コンテンツ識別情報と、タイミング情報と、放送チャンネル識別情報と、を関連付けた情報をいう。なお、この進行スケジュール情報は、例えば、放送チャンネルと放送時間とで特定される所定の放送番組に関して、その進行に応じたタイミングでコンテンツを出力するための情報である。したがって、その所定の放送番組の放送時間帯、「９時３０分から１０時００分まで」などの情報が含まれていても良い。
【００３９】
（進行スケジュール情報の概要）
【００４０】
「コンテンツ識別情報」は、コンテンツを識別するための情報である。そして「コンテンツ」とは、放送番組に同期して携帯端末装置で出力される情報をいい、テキスト、音声、動画像、あるいはそれらの組合せなどさまざまざ形態のデータであってよい。このコンテンツは、例えばドラマで検察官の犯行の立証シーンに同期した、裁判官や被告、被害者家族の心情変化などを示すようなコンテンツが挙げられる。あるいは、クイズ番組などのコンテンツであれば放送される問題やその回答を受け付けるためのコンテンツなどが挙げられる。あるいは、番組内で利用されている道具、例えば乗車中の車、などに関する詳細な情報や、ＢＧＭとして流れている音楽などに関する詳細な情報を示すコンテンツが挙げられる。あるいは番組内で出てきた用語などを、補完解説するような情報をコンテンツが挙げられる。
【００４１】
あるいは、ドラマなどである時間帯に違う場所で同時進行している２つのシーンのうち、片方のシーンをコンテンツとしても良い。あるいは料理番組のレシピや旅番組の旅情報などをコンテンツとしても良い。
【００４２】
なお、このコンテンツそのもののデータの取得、およびコンテンツ識別情報を含む進行スケジュール情報の取得は、例えば進行スケジュール情報にコンテンツのデータも含まれるという具合に同時に行われても良い。あるいは、コンテンツデータが音声や動画であってデータサイズが大きく、携帯端末装置の記憶容量やネットワークトラフィックに問題が生じる場合、例えば放送番組の視聴に際して該当するコンテンツのみダウンロードするなど、別々に取得する構成としても良い。
【００４３】
「タイミング情報」は、コンテンツ識別情報（コンテンツ）が出力されるべき、放送番組中でのタイミングを示す情報をいい、例えば「９時３０分００秒」といった具合に時刻で示された情報であっても良いし、「放送開始１５分００秒後」といった具合に放送番組の開始時刻などを起点とした経過時間で示された情報であっても良い。
【００４４】
「放送チャンネル識別情報」は、放送番組が放送されるチャンネルを識別するための情報をいい、例えば、数字で示されるチャンネルや周波数、あるいはそのチャンネルが割り当てられた放送局名などが挙げられる。
【００４５】
そして、この放送チャンネル識別情報を利用して、放送番組受信出力装置と携帯端末装置で出力する、放送番組とコンテンツのチャンネルの同期を行うことができる。
【００４６】
なお、この放送チャンネル識別情報は、放送番組とコンテンツの視聴者がコンテンツ提供を利用するために最低限必要な情報であるが、１チャンネルの地域など放送チャンネル識別情報が必要ではない場合もありうる。
【００４７】
図３に示すのは、この進行スケジュール情報の一例について説明するための概念図である。この図にあるように、例えば、ある裁判ドラマに同期してコンテンツを表示するための進行スケジュール情報は、放送チャンネル識別情報である「４７チャンネル」と、タイミング情報である「９時３０分」、そしてコンテンツ識別情報として「裁判官の心証」というコンテンツを識別するための情報が関連付けられた情報である。あるいは、同じく「４７チャンネル」の「９時４５分」に「被告人の心情」を示すコンテンツの識別情報が関連付けられた情報である。
【００４８】
また、別の進行スケジュール情報として、例えば、あるクイズ番組に同期して問題を携帯端末装置に表示するための進行スケジュール情報は、「１９チャンネル」と「放送開始１０分後」、そしてコンテンツ「問題１」を識別するための情報が関連付けられた情報である。あるいは「１９チャンネル」と「放送開始１５分後」と「問題２」というコンテンツ識別情報とが関連付けられた情報である。
【００４９】
このように、進行スケジュール情報として「放送チャンネル識別情報」、「タイミング情報」、「コンテンツ識別情報」とが関連付けられていることで、次の説明するような処理により、放送番組の放送チャンネルと同期し、またその放送番組の進行シーンなどに応じた時刻と同期してコンテンツを表示することができる。
【００５０】
なお、図には、番組中のシーンも記載しているが、これは番組のシーンとコンテンツとの同期を明確に表現するためで、進行スケジュール情報に番組のシーンに関する情報が含まれている必要はない。
【００５１】
また、進行スケジュール情報で示されるタイミングやコンテンツは、厳密に放送番組のシーンなどに同期している必要はなく、例えば野球中継に合わせて所定タイミングでチーム情報や成績などを表示するような情報であっても構わない。
【００５２】
（進行スケジュール情報の取得）
【００５３】
なお、上記進行スケジュール情報の取得は、例えば放送番組がデジタル放送番組であれば、そのデジタル放送波に進行スケジュール情報を含ませると良い。そうすることで、放送番組受信出力装置で進行スケジュール情報を直接受信し、そこから携帯端末装置に対して無線通信などにより送信し、携帯端末装置で進行スケジュール情報を取得することができる。
【００５４】
あるいは、放送番組開始前に予めサーバなどからダウンロードすることにより取得する方法が挙げられる。また、その際に、例えばユーザーが所望の放送番組の進行スケジュール情報を任意に選択してダウンロードする形式であっても良いし、指定キーワードや指定ジャンルなどの情報に基づいて自動的にダウンロードする形式であっても良い。また、一日に放送される放送番組全てに関して、その進行スケジュール情報をダウンロードする形式であっても良い。
【００５５】
また、ダウンロード用に進行スケジュール情報を蓄積している上記サーバへのアクセス情報を取得する方法として、以下のような取得方法が挙げられる。例えば、新聞や雑誌の番組欄（表）の各チャンネルや各番組にアクセス情報を含む二次元バーコードが印刷されており、その二次元バーコードを携帯端末装置で撮影、解析することにより所望の番組やチャンネルのアクセス情報を取得する方法である。あるいは、例えばデジタルテレビ放送波による放送番組であれば、そのデジタル放送波にそのアドレス情報を含み放送することで、携帯端末装置は放送番組受信出力装置を経由してアドレス情報を取得することができる。
【００５６】
（地域ごとに異なる進行スケジュール情報の取得）
【００５７】
また、上記放送チャンネル識別情報は、例えば同じチャンネル番号であっても地域的差異を有し、例えば全く別の放送局のチャンネルを示していたり、同系列の放送局であっても全く違う放送番組構成であったりする。したがって、本発明のテレビ番組同期連携システムにおいては、ユーザーは自分の地域に応じた放送チャンネル識別情報で設定された進行スケジュール情報を取得する必要がある。
【００５８】
そのために、本発明のテレビ番組同期連携システムの携帯端末装置は、例えばユーザーによって入力された郵便番号情報や、ＧＰＳ（グローバル・ポジショニング・システム）で取得された位置情報などに基づいて、その視聴地域を特定し、そこで放送され取得すべき進行スケジュール情報を自動で選択するような構成としても良い。あるいは、地域ごとに配布される新聞の番組欄などに二次元バーコードを印刷し、その地域での放送番組の進行スケジュール情報を取得する構成としても良い。
【００５９】
（携帯端末装置の構成要件３：コンテンツ識別情報出力部）
【００６０】
「コンテンツ識別情報出力部」（０２０３）は、進行スケジュール情報取得部（０２０２）にて取得した進行スケジュール情報中のタイミング情報と、時計部（０２０１）から出力される時刻情報と、に基づいてコンテンツ識別情報を出力する機能を有する。
【００６１】
このように、コンテンツ識別情報出力部によって、例えば時計部で出力された時刻情報「９時３０分」に、「裁判官の心証を示すコンテンツ」を識別するためのコンテンツ識別情報が出力される。そしてその出力されたコンテンツ識別情報に基づいて、例えば予め記憶装置に記憶されている該当コンテンツである図１で示したような動画、音声データが携帯端末装置のディスプレイに表示される。あるいは、例えばネットワークから該当するコンテンツであるテキストデータをダウンロードして携帯端末装置のディスプレイで表示する。
【００６２】
（コンテンツ識別情報の出力処理、およびコンテンツ出力処理の一例）
【００６３】
図４に示すのは、上記コンテンツ識別情報の出力処理の一例を説明するためのハードウェア構成図である。なお、以下の例で説明する処理の概要は、現在の時刻情報と、テレビジョン装置などで選択受信されている放送チャンネル識別情報とを元に、その時間にテレビジョン装置で受信されている番組に関する進行スケジュール情報を特定、取得する。そして、その進行スケジュール情報に含まれるタイミング情報を元に、所定タイミングで出力すべきコンテンツ識別情報を出力する。そして、その出力したコンテンツ識別情報で識別されるコンテンツを出力する、といった処理例である。なお、この処理例はあくまで一例であり、これに限定されないことは言うまでもない。
【００６４】
〔１．プログラムの起動〕
【００６５】
具体的には、まずこの図にあるように、携帯端末装置の"記憶装置"（０４０３）の所定の記憶位置θに記憶されているコンテンツ出力のための「プログラムＰ」が、"システムバス"（０４０７）を通り"主メモリ"（０４０２）の"ワーク領域"（０４０２ａ）に展開され、"ＣＰＵ"（０４０１）により実行される。なお、この「プログラムＰ」の主メモリへの展開のトリガーは、例えば常駐プログラムとして携帯端末装置の起動をトリガーとしても良いし、"入力デバイス"（０４０５）を利用したプログラム起動命令の入力をトリガーとしても良いし、あるいは、スケジューラ機能を利用して"時間機能"（０４０４）での計時が所定時刻になったことを示す情報の取得をトリガーとしても良い。
【００６６】
〔２．時刻情報の取得〕
【００６７】
そして、この「プログラムＰ」の実行により、まず、時計機能で計時された現在時刻情報「９時３０分」が、システムバスを通り、主メモリの"データ領域"（０４０２ｂ）の所定位置Ｔに格納される。
【００６８】
〔３．放送チャンネル識別情報の取得〕
【００６９】
また、この「プログラムＰ」の制御命令により、携帯端末装置はテレビジョン装置などで受信される番組の放送チャンネル識別情報の取得受付待ち状態となる。そこで例えば携帯端末装置の入力デバイスである数字キーを利用して「４７（チャンネル）」という放送チャンネル識別情報が入力されると、その情報はシステムバスを通り、主メモリのデータ格納領域内の所定位置Ｃｈに格納される、などの方法によりこの放送チャンネル識別情報を取得する。なお、携帯端末装置にリモコン機能を実装することで、ここで入力された放送チャンネル識別情報をチャンネル制御命令としてテレビジョン装置に送信し、チャンネルの同期を行っても良い。
【００７０】
〔４．進行スケジュール情報、およびコンテンツの記憶〕
【００７１】
またハードディスクドライブなどの記憶装置には、前述の通り、その所定記憶位置Ｓ１に放送番組１に関する「進行スケジュール情報１」が、また所定記憶位置Ｓ２には放送番組２に関する「進行スケジュール情報２」が、・・・、番組開始前に予めネットワーク上のサーバからダウンロードされる、などして記憶されている。
【００７２】
なお、ここでは、この進行スケジュール情報に、コンテンツ識別情報と、タイミング情報と、放送チャンネル識別情報に加え、「番組の放送時間帯情報」も含まれる。「進行スケジュール情報に含まれる番組の時間帯情報」とは、例えば進行スケジュール情報１で進行スケジュールが示される放送番組１の放送される時間帯、すなわちその放送番組１の放送開始時刻および終了時刻で示される時間情報などが挙げられる。
【００７３】
また、それぞれ進行スケジュール情報に関するコンテンツも記憶装置に記憶されている。具体的には、進行スケジュール情報１に含まれる、「９時３５分」のタイミングに出力されるべき第一の「コンテンツ識別情報Ａ」で識別される「コンテンツＡ」のデータが記憶位置ＣＡに記憶されている。また同様に進行スケジュール情報１に含まれる、「９時４５分」のタイミングに出力されるべき第二の「コンテンツ識別情報Ｂ」で識別される「コンテンツＢ」のデータがＣＢに、第三の・・・、という具合に記憶されている。また進行スケジュール情報２に関しても同様に「コンテンツ識別情報Ｄ」で識別される「コンテンツＤ」のデータが記憶位置ＣＤに、・・・・という具合で記憶されている。
【００７４】
〔５．テレビで現在受信中の番組に関する進行スケジュール情報を特定するための情報の取得〕
【００７５】
続いて、進行スケジュール情報に含まれる時間帯情報と放送チャンネル識別情報と、をハードディスクなどの記憶装置から取り出し、システムバスを介し主メモリのデータ領域に格納する。そのために、「プログラムＰ」の情報取得命令により、前記記憶装置の所定位置Ｓ１に記憶されている「進行スケジュール情報１」に含まれる放送番組１の放送時間帯情報１「９時００分から１０時００分まで」と放送チャンネル識別情報１「４７ｃｈ」とが取得され、それぞれメモリの所定位置Ｐｔ１、ＰＣｈ１に格納される。また、「進行スケジュール情報２」含まれる放送番組２の放送時間帯情報２「９時３０分から１０時００分まで」と放送チャンネル識別情報２「１９ｃｈ」も取得され、それぞれメモリの別の所定位置Ｐｔ２、ＰＣｈ２に格納される。そしてこのような具合で、他の進行スケジュール情報３、・・・に関しても同様にその番組の放送時間帯情報と放送チャンネル識別情報が、メモリのデータ領域の所定位置に格納される。
【００７６】
〔６．テレビに現在表示中の番組に関する進行スケジュール情報の特定〕
【００７７】
続いて、上記５．で取得した情報を利用してテレビに現在表示中の番組に関する進行スケジュール情報を特定する。そのために、プログラムに含まれる演算命令にしたがって、まず主メモリの所定位置Ｔに格納されている「９時３０分」という現在時刻情報と、また別の所定位置Ｐｔ１、Ｐｔ２，・・・に格納されている、番組１の放送時間帯情報１「９時００分から１０時００分」や、番組２の時間帯情報２「９時３０分から１０時００分」、・・・などとの比較演算処理がＣＰＵにて行われる。その結果、放送時間帯情報で示される時間帯に現在時刻情報で示される時刻を含む進行スケジュール情報、例えばここでは「進行スケジュール情報１」と「進行スケジュール情報２」が特定され、それら進行スケジュール情報１や２の識別情報が取得される。これにより、現在放送中の番組に関する進行スケジュール情報の識別情報が複数のチャンネルにおいて取得されることになる。
【００７８】
続いて、組前記取得した複数の進行スケジュール情報の識別情報の中から、テレビジョン装置で現在選択受信されているチャンネルの放送番組の進行スケジュール情報の識別情報を、その受信チャンネルに基づいて特定する。つまり、プログラムに含まれる演算命令にしたがって、主メモリの所定位置Ｃｈに格納されている「４７チャンネル」という放送チャンネル識別情報と、また別の所定位置ＰＣｈ１に格納されている、上記取得された進行スケジュール情報１に含まれる放送チャンネル識別情報１「４７チャンネル」との比較演算処理がＣＰＵにて行われる。また、同様に主メモリの所定位置Ｃｈに格納されている「４７チャンネル」と、また別の所定位置ＰＣｈ２に格納されている、上記取得された進行スケジュール情報２に含まれる放送チャンネル識別情報２「１９チャンネル」との比較演算処理がＣＰＵにて行われる。その結果、放送チャンネル識別情報が一致する「進行スケジュール情報１」が、現在テレビジョン装置で受信中の放送番組に関連する進行スケジュールである、と特定される。
【００７９】
そして、ＣＰＵの計算結果によるその特定に基づいて、ハードディスクなどの記憶装置に記憶されている「進行スケジュール情報１」の取得命令が出力される。それによって「進行スケジュール情報１」が記憶装置の所定位置Ｓ１から取り出され、システムバスを介し主メモリのデータ領域の所定位置Ｏｕｔに格納される。
【００８０】
〔６．コンテンツ識別情報の出力タイミングの算出〕
【００８１】
そして、主メモリの所定位置Ｏｕｔに格納された進行スケジュール情報に含まれるタイミング情報に基づいて、テレビジョン装置で現在出力表示されている放送番組の進行タイミングに同期した「コンテンツ識別情報」の出力処理を行う。
【００８２】
その同期のために、まず現在時刻情報「９時３０分」と、進行スケジュール情報１に含まれる第一の「コンテンツ識別情報Ａ」のタイミング情報Ａ「９時３５分」から、ＣＰＵの演算処理によりコンテンツ識別情報Ａを出力する時間は「５（分後）」であると算出され、その数値情報が、主メモリのデータ領域の所定位置に格納される。
【００８３】
続いて、例えばＣＰＵのプログラムタイマを利用して、ＣＰＵ内にある"レジスタ"（０４０１ａ）にその「５（分後）」という時間情報が格納され、ＣＰＵの動作クロック（周波数）から生成されるクロックがカウントされる。
【００８４】
〔７．上記タイミングでのコンテンツ識別情報の出力〕
【００８５】
そして、上記カウントに基づいてレジスタに格納された時間情報で示された５分後、すなわち「９時３５分」にパルスが発生し、そのパルスの発生をうけて「コンテンツ識別情報Ａ」が出力される、という具合である。
【００８６】
〔８．コンテンツの出力〕
【００８７】
続いて、上記「コンテンツ識別情報Ａ」の出力により、そのコンテンツ識別情報で識別される「コンテンツＡ」が記憶装置より取り出され、"ディスプレイ"（０４０８）に出力される。すなわち、上記記憶装置の所定位置ＣＡに格納されているコンテンツＡの取得命令が、コンテンツ識別情報Ａの出力を受けてＣＰＵより送出される。それによって記憶装置に記憶されている「コンテンツＡ」が、システムバス介し、例えばビデオカードのビデオメモリに格納されディスプレイに出力される。
【００８８】
そして、上記処理が進行スケジュール情報１に含まれるその他の「コンテンツ識別情報Ｂ」、・・・に関しても同様に実行され、放送番組の進行タイミングに同期して「コンテンツＢ」、・・・のディスプレイへの出力表示などが行われる、という具合である。
【００８９】
また、途中でのチャンネル変更などがあった場合、再度上記２の処理から繰り返し、コンテンツ識別情報を出力することで、チャンネル変更後の放送番組の進行タイミングに同期させコンテンツを出力すると良い。
【００９０】
以上が、本実施例のテレビ番組同期連携システムを構成する携帯端末装置の説明である。つづいて、携帯端末装置とともに本実施例のテレビ番組同期連携システムを構成する放送番組受信出力装置について、再び図２を用いて説明する。
【００９１】
《放送番組受信出力装置》
【００９２】
「放送番組受信出力装置」（０２１０）は、所定の時間スケジュールに応じて配信された放送波を、無線または有線で受信し出力する装置をいい、テレビジョン装置、チューナーボードを備えたパソコン、ラジオ受信機などが挙げられる。なお、ここでいう「放送波」は、アナログまたはデジタルの地上放送波、衛星放送波、ケーブル放送波、ＦＭ、ＡＭ、短波などのラジオ放送波のほか、インターネット放送における放送用送信データも含む。
【００９３】
そして、この放送番組受信出力装置は、「受信部」（０２１１）と、「選択制御部」（０２１２）と、「出力部」（０２１３）と、を有する。
【００９４】
（放送番組受信出力装置の構成要件１：受信部）
【００９５】
「受信部」（０２１１）は、放送番組を受信する機能を有する。この受信部では、次の選択制御部で制御されたチャンネルの周波数の放送波を選択的に受信することで、ユーザーが所望するなどの放送番組放送波の受信を行う。
【００９６】
（放送番組受信出力装置の構成要件２：選択制御部）
【００９７】
「選択制御部」（０２１２）は、受信部（０２１１）にて受信する放送番組の放送チャンネルを選択制御する機能を有する。この選択制御部で選択された放送チャンネルと、前記携帯端末装置で出力されるコンテンツの放送チャンネル識別情報とが、例えば携帯端末装置のリモコン機能などにより同期されることで、多チャンネルの複数番組であっても、放送番組に同期したコンテンツの出力が可能になる。
【００９８】
（放送番組受信出力装置の構成要件３：出力部）
【００９９】
前記選択制御され受信部にて受信した放送番組を出力する機能を有する。この出力部は、ブラウン管、蛍光表示管、液晶パネル、プラズマパネル、有機ＥＬ（エレクトロ・ルミネッセンス）、など各種表示パネルやスピーカーなどの音声出力装置などで実現される。
【０１００】
このように、放送番組受信出力装置によって選択制御されたチャンネルの放送番組が出力され、一方、携帯端末装置において、そのチャンネルと同期して放送番組の進行に応じたコンテンツが出力される。
【０１０１】
（本実施例による放送番組の表示とコンテンツの出力の例）
【０１０２】
図５に示すのは、本実施例のテレビ番組同期連携システムによって同期して出力される放送番組とコンテンツの一例について説明するための概念図である。まず、放送番組受信出力装置であるテレビジョン装置の選択制御部でチャンネル４７が選択され、４７チャンネルの放送波が受信部にて受信される。そして９時００分になり、放送番組であるドラマ「裁判所物語」が放送され、テレビジョン装置の出力部からこのドラマが出力されディスプレイに表示される。
【０１０３】
また、この放送番組開始前に、ユーザーは携帯端末装置である携帯電話に、「裁判所物語」に関するコンテンツを含むコンテンツ表示用アプリケーションを、ネットワーク上のサーバから予めダウンロードし保存しておく。
【０１０４】
そして、この図にあるように番組開始（１）の時間帯において、テレビジョン装置では番組のオープニングとして主題歌が流れている。一方、同時間帯（１）に携帯電話では、まず時計部で「９：００」であることを示す時刻情報が取得される。すると、例えば図４を用いて説明したような処理によって、この時間帯に出力されるコンテンツ識別情報が出力され、それに応じて携帯電話のディスプレイに、そのオープニング主題歌の作曲者や作詞者、演奏者、歌詞などの曲情報が表示される。
【０１０５】
その後も同様にして、例えば時間帯（２）において、テレビジョン装置では事件の発生に続くシーンが放送されており、一方携帯電話のディスプレイにはその事件の動機にあたる部分の解説や関連人物の詳細な情報が表示される。また、時間帯（３）では、テレビジョン装置で裁判の冒頭シーンが放送されており、一方携帯電話のディスプレイには当所の裁判官の心証が表示され、また時間帯（４）〜（５）では、テレビジョン装置で表示されている検察側立証のシーンに応じ、携帯電話のディスプレイに裁判官の心証の変化や被告人の焦りなどが表示される、という具合である。
【０１０６】
このように、本実施例のテレビ番組同期連携システムによって、ユーザーは例えばドラマについて映像では表現しきれない詳細な情報や心理の動きなどをドラマの進行と同期して知ることができるようになる。
【０１０７】
（その他コンテンツの出力例）
【０１０８】
図６に示すのは、本実施例におけるテレビ番組同期連携システムによるコンテンツの同期出力の一例について説明するための概念図である。この図にあるように、放送番組受信出力装置であるテレビジョン装置にクイズ番組が出力表示されている。そしてこのクイズ番組で、第一問目が出題されるタイミングに合わせ、携帯端末装置である携帯電話のディスプレイには、例えば図４で説明したような処理により第一問目のクイズ問題が回答受付可能に表示される。したがって、視聴者は自分もそのクイズ番組にリアルタイムで参加することができる。
【０１０９】
また、このようなクイズ番組やギャンブル番組などユーザー参加型番組で、その回答などをテレビ局の番組サーバなどに送信し全国ランキングを競わせたりポイントを付与したりする、などのサービスを行う場合、本実施例を利用することで以下のような効果も考えられる。すなわち、携帯端末装置に回答を蓄積し、任意なタイミングで回答をまとめて送信することで、時間的分散により一時的なネットワークトラフィック量を増大を抑えることができる。またこのように回答タイミングで瞬間的にトラフィックが増大しないので、番組サーバに繋がらず参加できない、といった事態の発生も防ぐことができる。
【０１１０】
そして、ここでチャンネルを替え、クイズ番組から次の図７に示すような例えばドラマに放送番組を変更しても、本実施例のテレビ番組同期連携システムでは放送番組に合わせたコンテンツの出力を行うことができる。
【０１１１】
図７に示すのは、本実施例におけるテレビ番組同期連携システムによるコンテンツの同期出力の、別の一例について説明するための概念図である。この図にあるように、例えばドラマなどでテレビジョン装置に車が表示され、またＢＧＭが流れている。すると携帯電話のディスプレイには、その車の表示やＢＧＭの出力に合わせて、車の詳細情報やＢＧＭの曲の詳細情報を知ることができる。したがって、ユーザーは放送番組を見て興味を持ったものについて直ぐに知ることができるようになる。
【０１１２】
図８に示すのは、本実施例におけるテレビ番組同期連携システムによるコンテンツの同期出力の、また別の一例について説明するための概念図である。この図にあるようにテレビジョン装置には例えばドラマが表示されていて、ある時間帯の被害者宅のシーンが表示されている。一方、携帯電話のディスプレイには、ドラマ内での同時間帯の別のシーン、例えば犯人側のシーンが表示されている。したがって、従来のドラマなどではシーンチェンジなどで表現されていたものを同時表示させることができ、視聴者に臨場感を感じさせることもできる。
【０１１３】
また、このような電話を用いたシーンであれば、視聴者の携帯電話で着信音を鳴らし、ドラマ内の台詞と同じ音声を出力することで、視聴者を仮想的にドラマに参加させる、といった演出も可能になる。
【０１１４】
図９に示すのは、本実施例におけるテレビ番組同期連携システムによるコンテンツの同期出力の、またさらに別の一例について説明するための概念図である。この図にあるようにテレビジョン装置には例えば料理番組が表示されていて、そのレシピが紹介されている。一方、携帯電話のディスプレイには、そのレシピに合わせ、料理のワンポイントアドバイスや、番組中では紹介しきれない情報が表示されている。そして、視聴者はそのようにして表示された情報を携帯電話のメモ機能で保持させることが容易にできる。それによってそのレシピなどを後々簡単に参照することができるようになる。
【０１１５】
以上のように、本実施例のテレビ番組同期連携システムによって、放送番組に連動、同期させてさまざまなコンテンツを視聴者に提供することができる。なお、もちろん上記例はドラマやクイズなどに限らず、例えばドキュメンタリーや情報番組、ニュース番組やスポーツ中継、ＣＭなどでもテレビジョン装置に映っているものの詳細情報の表示や、多元中継などの時間帯を同時とする表示など行われて構わない。
【０１１６】
そして、このようなさまざまなコンテンツの提供により、各放送番組の視聴率の向上も期待でき、それによる放送番組の広告収入の向上にも繋がることが期待できる。あるいは例えば本実施例で携帯端末装置でしか流さない情報をコンテンツ内に設定することで携帯端末装置の利用者の増加を期待することもできる。
【０１１７】
<処理の流れ>
【０１１８】
図１０に示すのは、本実施例における処理の流れの一例を表すフローチャートである。この図にあるように、まず、放送番組受信出力装置で、放送チャンネルを選択制御し（ステップＳ１００１ａ）、そのチャンネルの放送番組を受信する（ステップＳ１００２ａ）。そして、前記ステップＳ１００２ａで受信した放送番組をディスプレイなどに出力する（ステップＳ１００３ａ）。
【０１１９】
また、一方、携帯端末装置では、まず、時刻情報を出力し（ステップＳ１００１ｂ）、進行スケジュール情報を取得する（ステップＳ１００２ｂ）。そして、前記ステップＳ１００１ｂで出力した時刻情報と、前記ステップＳ１００２ｂで取得した進行スケジュール情報に含まれるタイミング情報と、また、例えば放送番組受信出力装置で前記選択制御された放送チャンネル識別情報と、に基づいてコンテンツ識別情報を出力する（ステップＳ１００３ｂ）。そして、このようにして出力されたコンテンツ識別情報に基づいて携帯端末装置でコンテンツが出力される。
【０１２０】
<効果の簡単な説明>
【０１２１】
以上のように、本実施例のテレビ番組同期連携システムによって、携帯端末装置で表示するコンテンツと、テレビで視聴する番組のチャンネルとを同期させた上で、放送番組の進行などに同期したコンテンツの提供を行うことができる。
【０１２２】
≪実施例２≫
【０１２３】
<概要>
【０１２４】
図１１に示すのは、本実施例のテレビ番組同期連携システムにおける概要の一例を説明するための図である。この図にあるように、本実施例のテレビ番組同期連携システムでは、実施例１を基本として、例えばその携帯端末装置である「携帯電話」（１１００）が、放送番組受信出力装置である「テレビジョン装置」（１１１０）のリモコン（遠隔操作）機能を兼ね備えていることを特徴としている。
【０１２５】
すなわち、携帯電話のリモコンモードを起動し、その数字キー「４７」が押下された場合、テレビジョン装置のチャンネルが４７チャンネルに合わせられ「裁判所物語」が表示される。そして携帯電話では、その４７チャンネルに合わせて、裁判所物語のオープニング曲に関する情報を示すコンテンツの出力が行われる、という具合である。
【０１２６】
このように、本実施例は、携帯端末装置と放送番組受信出力装置とのチャンネルの同期が携帯端末装置のリモコン機能により実現されるテレビ番組同期連携システムである。
【０１２７】
<構成>
【０１２８】
図１２に示すのは、本実施例のテレビ番組同期連携システムにおける機能ブロックの一例を表す図である。この図にあるように、本実施例のテレビ番組同期連携システムは「携帯端末装置」（１２００）と、「放送番組受信出力装置」（１２１０）と、からなる。
【０１２９】
そして、携帯端末装置は、実施例１を基本として、「時計部」（１２０１）と、「進行スケジュール情報取得部」（１２０２）と、「コンテンツ識別情報出力部」（１２０３）と、を有する。また、放送番組受信出力装置は、実施例１を基本として、「受信部」（１２１１）と、「選択制御部」（１２１２）と、「出力部」（１２１３）と、を有する。
【０１３０】
なお、上記携帯端末装置の「時計部」と、「進行スケジュール情報取得部」と、「コンテンツ識別情報出力部」と、および放送番組受信出力装置の「受信部」と、「選択制御部」と、「出力部」、は実施例１で記載済みであるのでその説明は省略する。
【０１３１】
そして、本実施例の特徴点は、携帯端末装置が「選択入力部」（１２０４）と、「選択制御命令出力部」（１２０５）を有するとともに、その進行スケジュール情報取得部が「選択依存進行スケジュール情報取得手段」（１２０６）を有する点と、また、放送番組受信出力装置が「選択制御命令受信部」（１２１４）をさらに有する点である。
【０１３２】
《携帯端末装置》
【０１３３】
「選択入力部」（１２０４）は、放送チャンネル識別情報を選択する機能を有する。その選択方法として、例えば上記のような数字キーやタッチパネルなどによるチャンネル番号入力による選択が挙げられる。あるいは、予め電子番組表を取得しておき、その電子番組表などで該当する放送局を選択することで、その放送局に割り当てられたチャンネルが選択される構成も挙げられる。
【０１３４】
このように選択入力部で放送チャンネル識別情報が選択入力されることで、例えばリモコンのチャンネル制御命令が生成され、放送番組受信出力装置に対して出力される。また、その選択したチャンネルで放送される放送番組に関する進行スケジュール情報の取得が行われる。
【０１３５】
「選択制御命令出力部」（１２０５）は、前記選択入力部に入力された放送チャンネル識別情報に基づいて選択制御命令を出力する機能を有する。「選択制御命令」とは、放送番組受信出力装置の選択制御部（１２１２）に放送チャンネルを選択制御させるための命令をいう。
【０１３６】
この選択制御命令の出力の一例は、以下のようにして行われる。まず、例えば携帯端末装置でリモコンモードが選択され、パルス生成・出力用のプログラムが起動する。そして、そのプログラムの働きで、例えば押下された数字キーや電子番組表で選択された放送局に対応する放送チャンネル識別情報を示すリモコンコードが取得される。次にその取得したリモコンコードが変調処理され、放送チャンネル識別情報に応じた所定のパルスが生成される。そしてその生成パルスに基づいて、放送番組受信出力装置に向けられた赤外線ＬＥＤ（発光ダイオード）が明滅し赤外線信号を出力する、という具合である。
【０１３７】
そして、放送番組受信出力装置では、後述する選択制御命令受信部である例えばフォトダイオードでその赤外線信号を受光し、チャンネル制御が行われることになる。
【０１３８】
なお、上記例は一例であり、選択制御命令の出力は赤外線による出力には限定されない。その他の短距離無線通信や、場合によっては有線による出力であっても構わない。
【０１３９】
「選択依存進行スケジュール情報取得手段」（１２０６）は、選択入力部（１２０４）にて選択された放送チャンネル識別情報に基づいて進行スケジュールを取得する機能を有する。なお、この数字キーなどで選択された放送チャンネル識別情報に基づいた、選択依存進行スケジュール情報取得手段での進行スケジュール情報の取得は、例えば実施例１におけるコンテンツ識別情報の出力の〔６．〕で説明したようにして実行する例が挙げられる。
【０１４０】
このように、携帯端末装置の選択入力部で選択された放送チャンネルに基づいて放送番組受信出力装置でチャンネル制御が行われる。そして、この選択依存進行スケジュール情報取得手段では、前記選択された放送チャンネルに応じた進行スケジュール情報が取得される。したがって、携帯端末装置で選択された放送チャンネルの放送番組が、放送番組受信出力装置で出力表示され、携帯端末装置でその番組に関するコンテンツが進行に同期して出力されることになる。つまり、携帯端末装置と放送番組受信出力装置とのチャンネルの同期が実現されることになる。
【０１４１】
《放送番組受信出力装置》
【０１４２】
「選択制御命令受信部」（１２１４）は、前記携帯端末装置の選択制御命令出力部（１２０５）から出力される選択制御命令を受信する機能を有する。この選択制御命令受信部は、例えば、以下のような処理により選択制御命令で示される放送チャンネル識別情報を特定する。すなわち上記携帯端末装置の赤外線ＬＥＤの明滅により出力された赤外線信号をフォトダイオードで受光し電気パルスに変調する。そして、そのパルスを復調しリモコンコードを取得することで携帯端末装置の選択入力部で選択され選択制御命令出力部で出力された放送チャンネル識別情報を特定する、という具合である。
【０１４３】
そして、このようにして特定した放送チャンネル識別情報に基づいて、受信すべき放送波の選択制御処理が選択制御部（１２１２）にて行われる。そしてその選択制御によって受信部（１２１１）にて受信された放送波に基づいて、放送番組がディスプレイなどに出力される。すなわち、携帯端末装置で選択された放送チャンネルの放送番組が表示される、という具合である。
【０１４４】
<処理の流れ>
【０１４５】
図１３に示すのは、本実施例における処理の流れの一例を表すフローチャートである。この図にあるように、まず、携帯端末装置で、放送チャンネル識別情報が選択され（ステップＳ１３０１ｂ）、その選択された放送チャンネル識別情報に基づいて、放送番組受信出力装置に対して選択制御命令（Ａ）が出力される（ステップＳ１３０２ｂ）。
【０１４６】
また、携帯端末装置では時刻情報を出力し（ステップＳ１３０３ｂ）、前記選択された放送チャンネル識別情報に基づいて進行スケジュール情報を取得する（ステップＳ１３０４ｂ）。そして、前記ステップＳ１３０３ｂで出力した時刻情報と、前記ステップＳ１３０４ｂで取得した進行スケジュール情報に含まれるタイミング情報と、に基づいてコンテンツ識別情報を出力する（ステップＳ１３０５ｂ）。そして、このようにして出力されたコンテンツ識別情報に基づいて携帯端末装置でコンテンツが出力される。
【０１４７】
また、一方、放送番組受信出力装置では、前記ステップＳ１３０２ｂにて出力された選択制御命令（Ａ）を受信する（ステップＳ１３０１ａ）。そして前記ステップＳ１３０１ａで受信した選択制御命令に基づいて放送チャンネルを選択制御（ステップＳ１３０２ａ）し、選択制御された放送チャンネルの放送番組を受信する（ステップＳ１３０３ａ）。そして最後に、前記ステップＳ１３０３ａで受信した放送番組をディスプレイなどに出力する（ステップＳ１３０４ａ）。
【０１４８】
<効果の簡単な説明>
【０１４９】
以上のように、本実施例のテレビ番組同期連携システムによって、携帯端末装置で選択した放送チャンネルと、放送番組受信出力装置での受信チャンネルとを同期制御することができる。つまり、携帯端末装置と放送番組受信出力装置とのチャンネルの同期を、携帯端末装置のリモコン機能により実現することができる。
【０１５０】
≪実施例３≫
【０１５１】
<概要>
【０１５２】
本実施例は、実施例１を基本として、かつ実施例２とはまた別の方法によって携帯端末装置と放送番組受信出力装置とのチャンネルの同期を実現するのテレビ番組同期連携システムである。
【０１５３】
図１４に示すのは、本実施例のテレビ番組同期連携システムにおける概要の一例を説明するための図である。この図にあるように、例えばその携帯端末装置である「携帯電話」（１４００）のディスプレイに、選択リストとして１９時３０分現在放送中の放送番組に関する進行スケジュール情報が選択可能に表示されている。ユーザーは、このリストの中から所望の進行スケジュール情報に関する放送番組「ニュース７時半（１５ｃｈ）」を選択する。
【０１５４】
すると、その選択に同期して放送番組受信出力装置である「テレビジョン装置」（１４１０）の受信チャンネルが「１５チャンネル」に制御され、「ニュース７時半」がディスプレイに出力表示される、という具合である。そして、そのニュースの特集情報などに合わせて、携帯端末のディスプレイに補足情報などが表示される。
【０１５５】
このように本実施例は、携帯端末装置と放送番組受信出力装置とのチャンネルの同期を、実施例２とは異なり、ユーザーの選択などによる携帯端末装置の進行スケジュール情報の取得で実現するテレビ番組同期連携システムである。
【０１５６】
<構成>
【０１５７】
図１５に示すのは、本実施例のテレビ番組同期連携システムにおける機能ブロックの一例を表す図である。この図にあるように、本実施例のテレビ番組同期連携システムは「携帯端末装置」（１５００）と、「放送番組受信出力装置」（１５１０）と、からなる。
【０１５８】
そして、携帯端末装置は、実施例１を基本として、「時計部」（１５０１）と、「進行スケジュール情報取得部」（１５０２）と、「コンテンツ識別情報出力部」（１５０３）と、を有する。また、放送番組受信出力装置は、実施例１を基本として、「受信部」（１５１１）と、「選択制御部」（１５１２）と、「出力部」（１５１３）と、を有する。
【０１５９】
なお、上記携帯端末装置の「時計部」と、「進行スケジュール情報取得部」と、「コンテンツ識別情報出力部」と、および放送番組受信出力装置の「受信部」と、「選択制御部」と、「出力部」、は実施例１で記載済みであるのでその説明は省略する。
【０１６０】
そして、本実施例の特徴点は、携帯端末装置が「進行スケジュール依存選択制御命令出力部」（１５０４）を有する点と、また、放送番組受信出力装置が「進行スケジュール情報依存選択制御命令受信部」（１５１４）をさらに有する点である。
【０１６１】
《携帯端末装置》
【０１６２】
「進行スケジュール依存選択制御命令出力部」（１５０４）は、進行スケジュール依存選択制御命令を出力する機能を有する。「進行スケジュール依存選択制御命令」とは、進行スケジュール情報取得部（１５０２）にて取得した進行スケジュール情報に含まれる放送チャンネル識別情報にて示される放送チャンネルを、放送番組受信出力装置の選択制御部に選択制御させるための命令をいう。
【０１６３】
なお、進行スケジュール情報取得部での進行スケジュール情報の取得は、上記概要のようにその時間帯において取得できる進行スケジュール情報が選択可能にリスト化される。そしてそのリストが携帯端末装置のディスプレイ上に表示され、ユーザーに選択させることで取得する方法が挙げられる。あるいは携帯端末装置の記憶装置に保持されている進行スケジュール情報が、ある放送時間帯においては一つのみである場合、その時間帯で自動的にその進行スケジュール情報が取得されても良い。
【０１６４】
あるいは、例えばユーザーが別途サービス会社と契約を結び特典サービスを受け取る代わりにサービス会社の指定した番組の進行スケジュール情報が自動的に取得されるアプリケーションプログラムを携帯端末装置にインストールしても良い。こうすることで、ユーザーに指定の番組を自動的に視聴させることができ、放送番組の広告効果を高めることもできる。
【０１６５】
そして、上記のようにして取得された進行スケジュール情報に含まれる放送チャンネル識別情報に基づいて選択制御命令が生成される。なお、この選択制御命令の出力は基本的に実施例２と同様であるのでその説明は省略する。異なる点は、その選択制御命令の生成の由来が、選択入力部による放送チャンネル識別情報の入力か（実施例２）、進行スケジュール情報取得部での進行スケジュール情報の取得か（本実施例）、の差である。
【０１６６】
《放送番組受信出力装置》
【０１６７】
「進行スケジュール依存選択制御命令受信部」（１５１４）は、携帯端末装置の進行スケジュール依存選択制御命令出力部（１５０４）から出力される進行スケジュール依存選択制御命令を受信する機能を有する。この選択制御命令受信部における選択制御命令の受信も、基本的には実施例２と同様であるのでその説明は省略する。
【０１６８】
そして、受信した選択制御命令によって特定した放送チャンネル識別情報に基づいて、受信すべき放送波の選択制御処理が選択制御部にて行われる。そしてその選択制御によって受信部にて受信された放送波に基づいて、放送番組がディスプレイなどに出力される。すなわち、携帯端末装置で選択された放送チャンネルの放送番組が表示される、という具合である。
【０１６９】
<処理の流れ>
【０１７０】
図１６に示すのは、本実施例における処理の流れの一例を表すフローチャートである。この図にあるように、まず、時刻情報を出力し（ステップＳ１６０１ｂ）、進行スケジュール情報を取得する（ステップＳ１６０２ｂ）。
【０１７１】
そして、前記ステップＳ１６０２ｂで取得した進行スケジュール情報に含まれる放送チャンネル識別情報に基づいて、放送番組受信出力装置に対して進行スケジュール依存選択制御命令（Ａ）が出力される（ステップＳ１６０３ｂ）。
【０１７２】
また、前記ステップＳ１６０１ｂで出力した時刻情報と、前記ステップＳ１６０２ｂで取得した進行スケジュール情報に含まれるタイミング情報と放送チャンネル識別情報と、に基づいてコンテンツ識別情報を出力する（ステップＳ１６０４ｂ）。そして、このようにして出力されたコンテンツ識別情報に基づいて携帯端末装置でコンテンツが出力される。
【０１７３】
また、一方、放送番組受信出力装置では、前記ステップＳ１６０３ｂにて出力された進行スケジュール依存選択制御命令（Ａ）を受信する（ステップＳ１６０１ａ）。そして前記ステップＳ１６０１ａで受信した進行スケジュール依存選択制御命令に基づいて放送チャンネルを選択制御（ステップＳ１６０２ａ）し、選択制御された放送チャンネルの放送番組を受信する（ステップＳ１６０３ａ）。そして最後に、前記ステップＳ１６０３ａで受信した放送番組をディスプレイなどに出力する（ステップＳ１６０４ａ）。
【０１７４】
<効果の簡単な説明>
【０１７５】
以上のように、本実施例のテレビ番組同期連携システムによっても、携帯端末装置で選択した放送チャンネルと、放送番組受信出力装置での受信チャンネルとを同期制御することができる。つまり、携帯端末装置での進行スケジュール情報の手動または自動の選択により、携帯端末装置と放送番組受信出力装置とのチャンネルの同期を実現することができる。
【０１７６】
≪実施例４≫
【０１７７】
<概要>
【０１７８】
本実施例は、実施例１を基本として、かつ実施例２や実施例３とはまた別の方法によって携帯端末装置と放送番組受信出力装置とのチャンネルの同期を実現するのテレビ番組同期連携システムである。
【０１７９】
図１７に示すのは、本実施例のテレビ番組同期連携システムにおける概要の一例を説明するための図である。この図にあるように、例えば通常のリモコンなどの操作によって放送番組受信出力装置である「テレビジョン装置」（１４１０）の受信チャンネルが「１９チャンネル」に制御され、放送番組「クイズ４択」がディスプレイに出力表示されている。
【０１８０】
すると本実施例では、このテレビジョン装置から現在受信中の番組の放送チャンネル識別情報が携帯端末装置である「携帯電話」（１４００）に対して出力される。そして携帯電話ではその放送チャンネル識別情報に基づいて進行スケジュール情報の取得、およびコンテンツ識別情報の出力を行い、そのクイズ番組の問題がコンテンツとしてディスプレイに表示される、という具合である。
【０１８１】
このように本実施例は、携帯端末装置側から放送番組受信出力装置での受信チャンネルを制御する実施例２や３とは異なり、逆に放送番組受信出力装置側から携帯端末装置の進行スケジュール情報の出力を制御してチャンネルの同期を実現するテレビ番組同期連携システムである。
【０１８２】
<構成>
【０１８３】
図１８に示すのは、本実施例のテレビ番組同期連携システムにおける機能ブロックの一例を表す図である。この図にあるように、本実施例のテレビ番組同期連携システムは「放送番組受信出力装置」（１８１０）と、「携帯端末装置」（１８００）と、からなる。
【０１８４】
そして、放送番組受信出力装置は、実施例１を基本として、「受信部」（１８１１）と、「選択制御部」（１８１２）と、「出力部」（１８１３）と、を有する。また、携帯端末装置は、実施例１を基本として、「時計部」（１８０１）と、「進行スケジュール情報取得部」（１８０２）と、「コンテンツ識別情報出力部」（１８０３）と、を有する。
【０１８５】
なお、上記放送番組受信出力装置の「受信部」と、「選択制御部」と、「出力部」と、および携帯端末装置の「時計部」と、「進行スケジュール情報取得部」と、「コンテンツ識別情報出力部」、は実施例１で記載済みであるのでその説明は省略する。
【０１８６】
そして、本実施例の特徴点は、放送番組受信出力装置が「放送チャンネル識別情報出力部」（１８１４）を有する点と、また、携帯端末装置が「放送チャンネル識別情報取得部」（１８０４）を有するとともに、進行スケジュール情報取得部が「選択放送チャンネル識別情報依存進行スケジュール情報取得手段」（１８０５）をさらに有する点である。
【０１８７】
《放送番組受信出力装置》
【０１８８】
「放送チャンネル識別情報出力部」（１８１４）は、選択制御部（１８１２）が選択している放送チャンネルを識別する放送チャンネル識別情報を携帯端末装置に対して出力する機能を有する。
【０１８９】
この放送チャンネル識別情報の出力は、例えば実施例２の選択制御命令の出力で説明したようなパルスを生成し赤外線により携帯端末装置に対して出力する方法が挙げられる。もちろん、その他にも短距離無線通信を利用して放送チャンネル識別情報を出力しても良いし、あるいは放送番組受信出力装置がデジタル家電であって家庭内ＬＡＮに接続されている場合など有線通信によって放送チャンネル識別情報を出力しても良い。
【０１９０】
そして、このように現在受信中の放送番組の放送チャンネル識別情報が、放送番組受信出力装置から携帯端末装置に出力され、携帯端末装置でその放送チャンネル識別情報に基づいたコンテンツ識別情報の出力処理が行われることでチャンネルの同期が実現される。
【０１９１】
《携帯端末装置》
【０１９２】
「放送チャンネル識別情報取得部」（１８０４）は、放送番組受信出力装置（１８１０）から出力される放送チャンネル識別情報を取得する機能を有する。この放送チャンネル識別情報の取得は、やはり実施例２で説明したように赤外線を利用して放送チャンネル識別情報を特定し取得する方法が挙げられる。
【０１９３】
「選択放送チャンネル識別情報依存進行スケジュール情報取得手段」（１８０５）は、放送チャンネル識別情報取得部（１８０４）にて取得した放送チャンネル識別情報と関連付けられた進行スケジュール情報を取得する機能を有する。
【０１９４】
なお、この取得された放送チャンネル識別情報に基づく進行スケジュール情報の取得は、例えば実施例１におけるコンテンツ識別情報の出力の〔６．〕で説明したようにして実行する例が挙げられる。そして、その進行スケジュール情報と時刻情報とに基づいてコンテンツ識別情報の出力処理が行われる。
【０１９５】
したがって、放送番組受信出力装置で選択受信されている放送チャンネルの放送番組に同期して、携帯端末装置でコンテンツが出力されることになる。つまり、携帯端末装置と放送番組受信出力装置とのチャンネルの同期が実現されることになる。
【０１９６】
<処理の流れ>
【０１９７】
図１９に示すのは、本実施例における処理の流れの一例を表すフローチャートである。この図にあるように、まず、放送番組受信出力装置で、放送チャンネルを選択制御する（ステップＳ１９０１ａ）。
【０１９８】
すると、放送番組受信出力装置は、前記ステップＳ１９０１ａで選択された放送チャンネルを識別する放送チャンネル識別情報（Ｂ）を携帯端末装置に対して出力する（ステップＳ１９０２ｂ）。
【０１９９】
また、前記ステップＳ１９０１ａで選択されたチャンネルの放送番組を受信し（ステップＳ１９０３ａ）、その受信した放送番組をディスプレイなどに出力する（ステップＳ１９０４ａ）。
【０２００】
また、一方、携帯端末装置では、まず、時刻情報を出力する（ステップＳ１９０１ｂ）。
【０２０１】
また、前記ステップＳ１９０２ｂにて放送番組受信出力装置より出力された放送チャンネル識別情報（Ｂ）を取得し（１９０２ｂ）、その取得した放送チャンネル識別情報と関連付けられた進行スケジュール情報を取得する（ステップＳ１９０３ｂ）。
【０２０２】
そして、前記ステップＳ１９０１ｂで出力した時刻情報と、前記ステップＳ１９０３ｂで取得した進行スケジュール情報に含まれるタイミング情報と放送チャンネル識別情報と、に基づいてコンテンツ識別情報を出力する（ステップＳ１９０４ｂ）。そして、このようにして出力されたコンテンツ識別情報に基づいて携帯端末装置でコンテンツが出力される。
【０２０３】
<効果の簡単な説明>
【０２０４】
以上のように、本実施例のテレビ番組同期連携システムによっても、放送番組受信出力装置で選択受信した放送チャンネルと、携帯端末装置で取得する進行スケジュール情報に含まれる放送チャンネル識別情報とを同期させることができる。つまり、放送番組受信出力装置側から携帯端末装置の進行スケジュール情報の出力を制御してチャンネルの同期を実現することができる。
【図面の簡単な説明】
【０２０５】
【図１】実施例１におけるテレビ番組同期連携システムの概要の一例を説明するための図
【図２】実施例１のテレビ番組同期連携システムにおける機能ブロックの一例を表す図
【図３】実施例１のテレビ番組同期連携システムにおいて取得される進行スケジュール情報の一例について説明するための概念図
【図４】実施例１のテレビ番組同期連携システムにおけるコンテンツ識別情報の出力処理の一例を説明するためのハードウェア構成図
【図５】実施例１のテレビ番組同期連携システムによって同期して出力される放送番組とコンテンツの一例について説明するための概念図
【図６】実施例１におけるテレビ番組同期連携システムによるコンテンツの同期出力の一例について説明するための概念図
【図７】実施例１におけるテレビ番組同期連携システムによるコンテンツの同期出力の、別の一例について説明するための概念図
【図８】実施例１におけるテレビ番組同期連携システムによるコンテンツの同期出力の、また別の一例について説明するための概念図
【図９】実施例１におけるテレビ番組同期連携システムによるコンテンツの同期出力の、さらにまた別の一例について説明するための概念図
【図１０】実施例１における処理の流れの一例を表すフローチャート
【図１１】実施例２のテレビ番組同期連携システムにおける概要の一例を説明するための図
【図１２】実施例２のテレビ番組同期連携システムにおける機能ブロックの一例を表す図
【図１３】実施例２における処理の流れの一例を表すフローチャート
【図１４】実施例３のテレビ番組同期連携システムにおける概要の一例を説明するための図
【図１５】実施例３のテレビ番組同期連携システムにおける機能ブロックの一例を表す図
【図１６】実施例３における処理の流れの一例を表すフローチャート
【図１７】実施例４のテレビ番組同期連携システムにおける概要の一例を説明するための図
【図１８】実施例４のテレビ番組同期連携システムにおける機能ブロックの一例を表す図
【図１９】実施例４における処理の流れの一例を表すフローチャート
【符号の説明】
【０２０６】
０２００  携帯端末装置
０２０１  時計部
０２０２  進行スケジュール情報取得部
０２０３  コンテンツ識別情報出力部
０２１０  放送番組受信出力装置
０２１１  受信部
０２１２  選択制御部
０２１３  出力部
【図１】
2007036523.tif 000003
【図２】
2007036523.tif 000004
【図３】
2007036523.tif 000005
【図４】
2007036523.tif 000006
【図５】
2007036523.tif 000007
【図６】
2007036523.tif 000008
【図７】
2007036523.tif 000009
【図８】
2007036523.tif 000010
【図９】
2007036523.tif 000011
【図１０】
2007036523.tif 000012
【図１１】
2007036523.tif 000013
【図１２】
2007036523.tif 000014
【図１３】
2007036523.tif 000015
【図１４】
2007036523.tif 000016
【図１５】
2007036523.tif 000017
【図１６】
2007036523.tif 000018
【図１７】
2007036523.tif 000019
【図１８】
2007036523.tif 000020
【図１９】
2007036523.tif 000021